(57)【特許請求の範囲】
【請求項１】
空中に配設される少なくとも１本の渡り用部材と、
前記渡り用部材の下方に配設される第１落下防止部材と、
前記渡り用部材の上方に配設され、遊戯者と係合される第２落下防止部材と、
前記渡り用部材、第１落下防止部材及び第２落下防止部材を保持する枠体と、
一端が前記枠体に係止される吊り上げ用ロープを介して前記枠体を吊り上げるクレーンとを備えてなることを特徴とする渡り遊戯装置。
【請求項２】
空中に放射状に配設される複数の渡り用部材と、
前記渡り用部材の下方に配設される第１落下防止部材と、
前記渡り用部材の上方に配設され、遊戯者と係合される第２落下防止部材と、
前記渡り用部材、第１落下防止部材及び第２落下防止部材を保持する枠体と、
一端が前記枠体に係止される吊り上げ用ロープを介して前記枠体を吊り上げるクレーンとを備えてなることを特徴とする渡り遊戯装置。
【請求項３】
前記渡り用部材の渡り開始位置および渡り終了位置に、それぞれ入場部および退場部が設けられていることを特徴とする請求項１または２記載の渡り遊戯装置。
【請求項４】
前記入場部および／または退場部に、第１落下防止部材からの復帰口が設けられてなることを特徴とする請求項３記載の渡り遊戯装置。
【請求項５】
前記渡り用部材が複数の渡り用部材分割体からなり、前記渡り用部材分割体の幅が、前方に位置する分割体ほど幅が狭くされていることを特徴とする請求項１乃至４記載のいずれかの渡り遊戯装置。
【請求項６】
前記渡り用部材分割体相互の接続部に幅広の接続部材が設けられていることを特徴とする請求項５記載の渡り遊戯装置。
【請求項７】
前記渡り用部材または渡り用部材分割体が透明とされていることを特徴とする請求項１乃至６記載のいずれかの渡り遊戯装置。
【請求項８】
前記渡り用部材または渡り用部材分割体が弾性体とされていることを特徴とする請求項１乃至７記載のいずれかの渡り遊戯装置。
【発明の詳細な説明】
【０００１】
【産業上の利用分野】
本発明は渡り遊戯装置に関する。さらに詳しくは、遊戯者にスリルを感じさせることができる渡り遊戯装置に関する。
【０００２】
【従来の技術】
遊戯の中でも空中に張設されたロープの上を自在に渡り歩く綱渡りほどスリルを感じさせるものはない。しかるに、今のところ、この綱渡りはサーカスの曲芸師のみが演ずることができるものと考えられて、一般人を対象として綱渡り等の渡り遊戯を行わせる施設あるいは渡り遊戯装置は提供されていない。
【０００３】
しかしながら、地上を離れて遊戯することは人類の長年の夢であり、しかも現在においては、「観る」から「体験する」へと一般人の思考が変化してきている。そのため、一般人が手軽に渡り遊戯を楽しむことのできる施設や遊戯具の提供が熱望されている。
【０００４】
【発明が解決しようとする課題】
本発明はかかる従来の問題点に鑑みなされたものであって、一般人が手軽にしかも、その技量に応じて渡り遊戯を楽しめる渡り遊戯装置を提供することを目的としている。
【０００５】
【課題を解決するための手段】
本発明に係る渡り遊戯装置は、空中に配設される少なくとも１本の渡り用部材と、この渡り用部材の下方に配設される第１落下防止部材と、前記渡り用部材の上方に配設され、遊戯者と係合される第２落下防止部材と、前記渡り用部材、第１落下防止部材及び第２落下防止部材を保持する枠体と、一端が前記枠体に係止される吊り上げ用ロープを介して前記枠体を吊り上げるクレーンとを備えてなることを特徴とする。
【０００６】
本発明に係る渡り遊戯装置では、前記渡り用部材は、その複数が放射状に配設されていても良い。
【０００７】
本発明に係る渡り遊戯装置においては、前記渡り用部材の渡り開始位置および渡り終了位置に、それぞれ入場部および退場部が設けられているのが好ましい。
【０００８】
また、前記入場部および／または退場部に、第１落下防止部材からの復帰口が設けられているのがさらに好ましい。
【０００９】
また、本発明の渡り遊戯装置においては、前記渡り用部材が複数の渡り用部材分割体からなり、前記渡り用部材分割体の幅が、前方に位置する分割体ほど幅が狭くされているのも好ましく、あるいは前記渡り用部材分割体相互の接続部に幅広の接続部材が設けられているのも好ましい。
【００１０】
ここで、前記渡り用部材または渡り用部材分割体は、例えば透明とされていたり弾性体とされていてもよく、あるいは傾斜が設けられていてもよい。
【００１１】
また、前記第１落下防止部材は、例えば安全ネットとされ、前記第２落下防止手段は、例えば前記渡り用部材に対応させて上方に張設された索条部材と、先端部が該索条部材に摺動自在に装着され、本体が遊戯者に装着されている落下防止綱とからなるものとされる。
【００１２】
なお、復帰口が設けられている場合には、前記安全ネットに、復帰口への復帰ルートが形成されているのが好ましい。
【００１３】
【作用】
本発明の渡り遊戯装置は、前記のごとく構成されているので、枠体の高さを適宜調節することにより、遊戯者の技量に応じた高さとすることができる。また、渡り用部材の下方には、安全ネットのような第１落下防止手段が設けられているので、遊戯者が渡り用部材から足を踏み外すことがあっても、地上まで落下することはなく、そのため怪我をする恐れはない。あるいは、渡り用部材の上方に、遊戯者と係合している第２落下防止手段が設けられている場合には、遊戯者が渡り用部材から足を踏み外しても、渡り用部材に自ら這い上がることができる。
【００１４】
渡り用部材の渡り開始位置および渡り終了位置に、それぞれ入場部および退場部が設けられている本発明の好ましい態様によれば渡り遊戯が円滑になし得る。ここで、この入場部や退場部に第１落下防止手段からの復帰口が設けられている態様によれば、第１落下防止手段に落下した遊戯者の自力復帰が図られる。
【００１５】
渡り用部材が渡り用部材分割体からなり、しかも、前方の分割体ほど幅が狭くされている本発明の別の好ましい態様によれば、渡りに変化をつけることができスリルが倍加する。また、渡り用部材が渡り用部材分割体からなり、その分割体相互の接続部に幅広の接続部材が設けられている、本発明のさらに別の好ましい態様によれば、遊戯者がその部分で休息等がなし得、無理なく渡り遊戯をエンジョイできる。
【００１６】
あるいは、渡り用部材または渡り用部材分割体が透明とされている、本発明の別の好ましい態様よれば、遊戯者は足元から下方が透けて見えるので足元に不安を覚え、より一層スリルを味わうことができる。
【００１７】
【実施例】
以下、添付図面を参照しながら本発明を実施例に基づいて説明するが、本発明はかかる実施例のみに限定されるものではない。
【００１８】
実施例１
本発明の実施例１としての渡り遊戯装置を図１に示す。実施例１の渡り遊戯機構Ａは、両端を揃えて所定の間隔をおいて配置されている三本の渡り用部材１１，１２，１３と、この渡り用部材１１，１２，１３の両端を支持している支持部材２１を有する枠体２０とを主要部としてなる。
【００１９】
渡り用部材１０は、図１に示す例においては、木製の平板１３、丸太１２、ガラス製の平板１１とされている。しかしながら、渡り用部材は１０これに限定されるものではなく、例えば、図２（ａ）に示すように、複数の渡り用部材分割体１０Ａ，１０Ｂ，１０Ｃ，１０Ｄにより構成されるとともに、前方の分割体ほど幅が狭くされていてもよい。あるいは、図２（ｂ）に示すように、分割体１０Ａ，１０Ｂ，１０Ｃ，１０Ｄの間に幅広の接続部材１０Ｅが設けられてもよい。あるいは、図２（ｃ）に示すように、連続的に先細とされてもよい。あるいはロープなどの弾性体とされてもよい。なお、渡り用部材１０の本数は、三本に限定されるものではなく、所望により適宜増減され、最小限一本あればよい。
【００２０】
この渡り用部材１０の両端は、枠体２０の縦部材２２に接続されている支持部材２１により支持されている。なお、渡り用部材１０の支持部は適宜手段により固定されていて、遊戯中における渡り用部材１０のずれの防止が図られている。この支持部材２１とこの支持部材２１の外側に配設されている横部材２３との間には床板２４が張設されている。それにより、入場部Ｉおよび退場部Ｏが形成される。
【００２１】
この床板２４の外周には柵２５が設けられていて、遊戯者Ｐが誤って落下しないようにされている。また、内周には渡り遊戯の邪魔にならない範囲に柵２６が設けられていて、同様に、遊戯者Ｐが誤って落下しないようにされている。なお、外周に設けられている柵２５の一部には、図１に示すように、跳ね上げ式の梯子２７が介装されていて、遊戯者Ｐの出入りの便が図られる。
【００２２】
この枠体２０の下部には、図１に概略的に示すように、落下防止用の安全ネット４１が配設されている。この安全ネット４１は、この渡り用遊戯機構Ａが地上から一定以上の高さに設置された場合に、遊戯者Ｐが渡り用部材１０から落下した際に、地上に落ちて怪我をしないようにするためのものである。そのため、渡り用部材１０から遊戯者Ｐが落下しても怪我をしない程度の高さに設置させる場合には、この安全ネット４１は必ずしも設けられなくてもよい。なお、縦部材２２に設けられている脚２８により、この渡り遊戯機構Ａが、休止等により地上に設置された場合においても、安全ネット４１と地面との間に一定の間隔が確保されるようにされている。
【００２３】
また、この安全ネット４１に落下した遊戯者は、安全ネット４１上を歩いたり這ったりして、床板２４に設けられている開口（復帰口）２９から入場部Ｉあるいは退場部Ｏに戻れるようにされている。この場合の便宜を考慮して、図３に示すように、復帰口２９に対応させて安全ネット４１の斜面に階段５１を有する復帰ルート５０が形成されていてもよい。
【００２４】
さらに、本実施例においては、図１に示すように、渡り用部材１０の渡り開始位置および渡り終了位置のそれぞれの外方に設けられた支柱３０を利用して、索状部材４４が配設されている。この索状部材４４には、遊戯者Ｐに装着されている落下防止綱４５の先端４５ａに取付けられているフック４６が係止されている（図４および図５参照）。この落下防止綱４５は、高所作業用の安全ベルトに設けられている、綱の長さが調整自在な落下防止用の綱と同様の構成とされている。この綱４５の長さは、遊戯者Ｐが渡り用部材１０から落下しても自力で渡り用部材１０に復帰できるように調整されている。
【００２５】
このように、実施例１においては、安全ネット４１が第１落下防止手段４０Ａを構成し、索状部材４４と落下防止綱４５との組合せが第２落下防止手段４０Ｂを構成する。この第１落下防止手段４０Ａおよび第２落下防止手段４０Ｂは、それぞれ単独で用いられてもよく、図示のように、併用されてもよい。
【００２６】
また、前記柵２５の支柱３１のうち、枠体の四隅にあるもの３１Ａの頂部には、クレーンＣ等の吊り上げ手段により、この渡り遊戯機構Ａを地上から所定高さに位置せしめるための吊り上げ用金具３２が設けられている。そのため、この渡り遊戯機構Ａは、クレーンＣ等により吊り上げられた場合に、座屈を生じないように強度の調整がなされている。
【００２７】
つぎに、このように構成された渡り遊戯装置による遊戯方法について説明する。
【００２８】
a)枠体２０の四隅の支柱３１Ａに設けられている吊り上げ用の金具３２に吊り上げ用ロープ３３を掛ける。
【００２９】
b)このロープ３３をクレーンＣのフックＣ1に係止する。
【００３０】
c)入場部Ｉ側の跳ね上げ式梯子２７が降ろされて、その梯子２７を利用して遊戯者Ｐが入場部Ｉに集合する。
【００３１】
d)遊戯者Ｐの集合が完了すると、入場部Ｉ側の跳ね上げ式梯子２７が跳ね上げられる。
【００３２】
e)クレーンＣにより渡り遊戯機構Ａを吊り上げる。この場合、必要に応じて地上より枠体２０に係合されている案内用ロープ（図示省略）を操作して、吊り上げ中の枠体２０の異常な揺れを防止する。
【００３３】
f)渡り遊戯機構Ａが所定高さに到達すると、枠体２０の四隅に設けられているアンカー用ロープ３４を適宜固定して、遊戯中の枠体２０の必要以上の揺れを防止する。
【００３４】
g)遊戯者Ｐ全員が渡り終え退出部Ｏ側に集合すると、渡り遊戯機構ＡはクレーンＣにより地上に降ろされる。
【００３５】
h)渡り遊戯機構Ａが地上に到達すると、退場部Ｏ側の跳ね上げ式梯子２７が降ろされ、それを利用して遊戯者Ｐが退出する。
【００３６】
以後、前記c)〜h)が繰り返されて遊戯が継続される。
【００３７】
このように、本実施例によれば、簡単な構成により空中において渡り遊戯をエンジョイすることができる。また、クレーンＣ等により吊り上げるようにしているので、所望応じて遊戯位置を手軽に変更でき、そのためオフィス街や海岸等の各種場所において遊戯を楽しむことができる。
【００３８】
実施例２
本発明の実施例２としての渡り遊戯機構Ａ’を図６に示す。実施例２の渡り遊戯機構Ａ’は、放射状に配置されている六本の渡り用部材１０と、この渡り用部材１０の両端を支持している支持部材３６，３７を有する枠体２０Ａとを主要部としてなり、この渡り用部材１０が放射状に配置されている他は、実施例１と同様に構成されている。
【００３９】
以下、実施例２の実施例１と異なる点についてのみ説明する。
【００４０】
枠体２０Ａに設けられている支持部材３６，３７は、図６に示すように、同心円状に所定の間隔を置いて配置されている六角形の内側および外側支持部材３７，３６とからなり、この内側および外側支持部材３７，３６の間に渡り用部材１０が掛け渡されている。
【００４１】
この支持部材３６，３７の形状は、図６に示す例においては六角形とされているが、五角形、八角形等、その他の多角形とされてもよく、あるいは円形とされてもよい。
【００４２】
また、この支持部材３６，３７の外方および内方には、床板３８が張設されて入場部Ｉあるいは退場部Ｏが形成されている。
【００４３】
このように、実施例２においては渡り用部材１０が放射状に配置されているので、渡り遊戯ごとに方角を変えることができる。そのため、渡り遊戯ごとに異なった景色を楽しむことができ、渡り遊戯に変化を持たせることができるという実施例１では得られない効果が得られる。
【００４４】
以上、本発明を実施例に基づいて説明してきたが、本発明はかかる実施例のみに限定されるものではなく、各種の改変が可能である。例えば、渡り用部材は、本実施例においては水平とされているが、傾斜が設けられて掛け渡されていてもよい。
【００４５】
【発明の効果】
以上説明したように、本発明によれば、手軽な構成により空中において渡り遊戯をエンジョイできるので、少ない費用により一般大衆に空中における渡り遊戯をエンジョイさせることができるという優れた効果が得られる。
【００４６】
また、クレーン等により吊り上げられるようにされている、本発明の好ましい態様によれば、各種の場所において空中における渡り遊戯をエンジョイできるという優れた効果が得られる。
【図面の簡単な説明】
【図１】本発明に係る渡り遊戯装置の一実施例を示す斜視図であって、クレーンにより吊り上げられた状態で遊戯がなされている状態を示すものである。
【図２】渡り用部材の他の例の説明図である。
【図３】安全ネットに設けられた復帰ルートの説明図である。
【図４】遊戯者に装着された落下防止綱の説明図である。
【図５】落下防止綱の先端のフックを索状部に係止した状態の説明図である。
【図６】本発明の他の実施例を示す概略平面図である。
【符号の説明】
１０                            渡り用部材
１０Ａ，１０Ｂ，１０Ｃ，１０Ｄ  渡り用部材分割体
１０Ｅ                          接続部材
１１                            ガラス製の平板（渡り用部材）
１２                            丸太（渡り用部材）
１３                            木製の平板（渡り用部材）
２０，２０Ａ                    枠体
２１                            支持部材
２２                            縦部材
２３                            横部材
２４                            床板
２５，２６                      柵
２７                            跳ね上げ式の梯子
２８                            脚
２９                            復帰口
３０                            支柱
３１                            柵の支柱
３２                            吊り上げ用金具
３３                            吊り上げ用ロープ
３４                            アンカー用ロープ
３６                            外側支持部材
３７                            内側支持部材
３８                            床板
４０                            落下防止手段
４０Ａ                          第１落下防止手段
４０Ｂ                          第２落下防止手段
４１                            安全ネット
４４                            索条部材
４５                            落下防止綱
４６                            フック
５０                            復帰ルート
５１                            階段
Ａ，Ａ’                        渡り遊戯機構
Ｃ                              クレーン
Ｉ                              入場部
Ｏ                              退場部
Ｐ                              遊戯者
【図１】
0003614189.tif 000002
【図２】
0003614189.tif 000003
【図３】
0003614189.tif 000004
【図４】
0003614189.tif 000005
【図５】
0003614189.tif 000006
【図６】
0003614189.tif 000007